(57)【要約】      （修正有）【課題】放送される広告に関連した広告を視聴者に提示することができる受信装置、広告提示方法、及びプログラムを提供する。【解決手段】受信装置２は、放送受信部２１と、出力部２４と、制御部２５とを持つ。放送受信部２１は、放送信号を受信する。出力部２４は、放送受信部２１が受信した放送信号に含まれているコンテンツデータを出力する。制御部２５は、放送信号に含まれる広告のコンテンツデータに関連する他の広告のコンテンツデータを特定する関連広告特定情報が放送信号に含まれている場合に、関連広告特定情報により特定され、かつ、通信により配信される他の広告のコンテンツデータの出力を指示する。【選択図】図３
2016058961.tif 000002
【特許請求の範囲】
【請求項１】
放送信号を受信する放送受信部と、
前記放送受信部が受信した前記放送信号に含まれているコンテンツデータを出力する出力部と、
前記放送信号に含まれる広告のコンテンツデータに関連する他の広告のコンテンツデータを特定する関連広告特定情報が前記放送信号に含まれている場合に、前記関連広告特定情報により特定され、かつ、通信により配信される前記他の広告のコンテンツデータの出力を指示する制御部と、
を備える受信装置。
【請求項２】
前記制御部は、前記関連広告特定情報が前記放送信号に含まれている場合に、前記関連広告特定情報により特定される前記他の広告のコンテンツデータを通信により受信し、受信した前記他の広告のコンテンツデータの出力を指示する、
請求項１に記載の受信装置。
【請求項３】
前記出力部は、前記他の広告のコンテンツデータを出力する前記指示に基づいて、前記放送信号に含まれている前記コンテンツデータと、前記制御部が通信により受信した前記他の広告のコンテンツデータとを出力する、
請求項２に記載の受信装置。
【請求項４】
前記制御部は、前記他の広告のコンテンツデータの出力をユーザ端末に指示する、
請求項１または請求項２に記載の受信装置。
【請求項５】
前記制御部は、前記他の広告のコンテンツデータをユーザの指示が入力されたときに出力するよう指示する、
請求項１から請求項４のいずれか１項に記載の受信装置。
【請求項６】
受信装置が実行する広告提示方法であって、
放送信号を受信する放送受信ステップと、
前記放送受信ステップにおいて受信した前記放送信号に含まれているコンテンツデータを出力する出力ステップと、
前記放送信号に含まれる広告のコンテンツデータに関連する他の広告のコンテンツデータを特定する関連広告特定情報が前記放送信号に含まれている場合に、前記関連広告特定情報により特定され、かつ、通信により配信される前記他の広告のコンテンツデータの出力を指示する出力指示ステップと、
を有する広告提示方法。
【請求項７】
コンピュータに、
放送受信部が受信した放送信号に含まれているコンテンツデータを出力部に出力させる出力ステップと、
前記放送信号に含まれる広告のコンテンツデータに関連する他の広告のコンテンツデータを特定する関連広告特定情報が前記放送信号に含まれている場合に、前記関連広告特定情報により特定され、かつ、通信により配信される前記他の広告のコンテンツデータの出力を指示する出力指示ステップと、
を実行させるプログラム。
【発明の詳細な説明】
【技術分野】
【０００１】
本発明の実施形態は、受信装置、広告提示方法、及びプログラムに関する。
【背景技術】
【０００２】
放送されるコマーシャルメッセージ（ＣＭ）の放映時間は、放送スケジュールによって決められている。しかし、その決められた放映時間内のＣＭでは、広告主が伝えたい内容を伝えられない場合がある。
【先行技術文献】
【特許文献】
【０００３】
【特許文献１】特開２００３−６９９５０号公報
【特許文献２】特開２００３−３３９０４０号公報
【発明の概要】
【発明が解決しようとする課題】
【０００４】
本発明が解決しようとする課題は、放送される広告に関連した広告を視聴者に提示することができる受信装置、広告提示方法、及びプログラムを提供することである。
【課題を解決するための手段】
【０００５】
実施形態の受信装置は、放送受信部と、出力部と、制御部とを持つ。放送受信部は、放送信号を受信する。出力部は、放送受信部が受信した放送信号に含まれているコンテンツデータを出力する。制御部は、放送信号に含まれる広告のコンテンツデータに関連する他の広告のコンテンツデータを特定する関連広告特定情報が放送信号に含まれている場合に、関連広告特定情報により特定され、かつ、通信により配信される他の広告のコンテンツデータの出力を指示する。
【図面の簡単な説明】
【０００６】
【図１】第１の実施形態の放送システムを示す構成図。
【図２】第１の実施形態の放送装置の内部構成を示す機能ブロック図。
【図３】第１の実施形態の受信装置の内部構成を示す機能ブロック図。
【図４】第１の実施形態のユーザ端末の内部構成を示す機能ブロック図。
【図５】第１の実施形態の受信装置の処理を示すフロー図。
【図６】第１の実施形態のユーザ端末の処理を示すフロー図。
【図７】第２の実施形態の放送システムを示す構成図。
【図８】第２の実施形態の受信装置の内部構成を示す機能ブロック図。
【図９】第２の実施形態の受信装置の処理を示すフロー図。
【図１０】第３の実施形態の放送システムを示す構成図。
【図１１】第３の実施形態の受信装置の内部構成を示す機能ブロック図。
【図１２】第３の実施形態の受信装置の処理を示すフロー図。
【発明を実施するための形態】
【０００７】
以下、実施形態の受信装置、広告提示方法、及びプログラムを、図面を参照して説明する。
【０００８】
（第１の実施形態）
図１は、第１の実施形態の放送システムを示す構成図である。同図に示すように、放送システムは、放送装置１と、受信装置２と、ユーザ端末５と、配信装置６とを備えて構成される。受信装置２と配信装置６、及び、ユーザ端末５と配信装置６は、通信ネットワーク９を介して接続される。通信ネットワーク９は、例えば、ＴＣＰ（Transmission Control Protocol）／ＩＰ（Internet Protocol）を用いたネットワークである。放送の視聴者であるユーザが保有する受信装置２とユーザ端末５は、例えば、無線ＬＡＮ（Local Area Network）などの近距離通信や、ホームネットワークなどにより接続される。同図においては、放送装置１、及び配信装置６をそれぞれ１台ずつ示しているが、放送システムは各装置を複数台備え得る。また、同図においては、受信装置２及びユーザ端末５をそれぞれ１台ずつ示しているが、現実には放送システムは受信装置２及びユーザ端末５を複数台備える。
【０００９】
放送装置１は、ＡＲＩＢ（Association of Radio Industries and Broadcast）標準規格に準拠したデジタル放送の放送信号を送出する。受信装置２は、放送装置１から送出された放送信号を受信し、放送信号に設定されているＣＭ（コマーシャルメッセージ）や番組などの放送コンテンツを出力する。以下では、放送コンテンツの広告であるＣＭを「放送ＣＭ」、放送ＣＭに関連し、通信により配信される広告を「関連ＣＭ」と記載する。なお、関連ＣＭの内容や長さは任意とすることができる。例えば、放送ＣＭよりも関連ＣＭが長くてもよい。また、例えば、関連ＣＭは、放送ＣＭにおいて宣伝している商品やサービスに関する情報を補足するような内容のＣＭでもよく、広告主が提供している他の商品やサービスなどのＣＭでもよい。
【００１０】
放送装置１は、放送信号を送信する際、放送ＣＭの関連ＣＭを特定する関連ＣＭ特定情報（関連広告特定情報）をイベントメッセージに設定する。関連ＣＭ特定情報は、例えば、放送ＣＭの識別情報、関連ＣＭの識別情報、関連ＣＭの取得先のＵＲＬ（Universal Resource Identifier）のいずれか、あるいは、それらの任意の組み合わせとすることができる。受信装置２は、イベントメッセージに設定されている関連ＣＭ特定情報により特定される関連ＣＭを配信装置６から取得し、取得した関連ＣＭをユーザ端末５に出力させる。
【００１１】
図２は、放送装置１の内部構成を示すブロック図であり、本実施形態と関係する機能ブロックのみを抽出して示してある。
放送装置１は、ＣＭバンク１１と、番組バンク１２と、マスタースイッチャー１３と、設定部１４と、符号化部１５と、多重化部１６とを備えて構成される。ＣＭバンク１１は、ＣＭの素材を記憶する。番組バンク１２は、番組の素材を記憶する。
【００１２】
マスタースイッチャー１３は、電子番組表に従って、ＣＭバンク１１のＣＭの素材や番組バンク１２の番組の素材を読み出して設定部１４、及び符号化部１５に出力する。電子番組表は、時刻と、その時刻に放送する放送コンテンツを特定する情報が記述されたデータである。設定部１４は、素材に設定されている情報に基づいてＭＰＥＧ（Moving Picture Experts Group）２−ＴＳ（Transport Stream）のデータパケットを生成し、多重化部１６に出力する。設定部１４は、データパケットを生成する際、関連ＣＭがある放送ＣＭのＣＭコード、及び、関連ＣＭ特定情報をイベントメッセージに設定したデータパケットを生成する。放送ＣＭのＣＭコードが関連ＣＭ特定情報を兼ねてもよい。符号化部１５は、マスタースイッチャー１３から出力された素材をＭＰＥＧ２により符号化し、符号化されたコンテンツデータを生成する。符号化部１５は、符号化されたコンテンツデータを設定したＭＰＥＧ２−ＴＳパケットである符号化コンテンツパケットを生成し、多重化部１６に出力する。多重化部１６は、マルチプレクサ（ＭＵＸ）である。多重化部１６は、設定部１４から出力されたデータパケットと、符号化部１５から出力された符号化コンテンツパケットを多重化したＭＰＥＧ２−ＴＳを生成する。多重化部１６は、生成したＭＰＥＧ２−ＴＳを設定したデジタル放送の放送信号を出力する。
【００１３】
図３は、受信装置２の内部構成を示すブロック図であり、本実施形態と関係する機能ブロックのみを抽出して示してある。受信装置２は、例えば、テレビジョン受信機やコンピュータ端末である。受信装置２は、放送受信部２１と、分離部２２と、復号部２３と、出力部２４と、制御部２５と、第一通信部２６と、第二通信部２７とを備えて構成される。
【００１４】
放送受信部２１は、チューナーである。放送受信部２１は、放送信号を受信し、分離部２２に出力する。分離部２２は、デマルチプレクサである。分離部２２は、放送受信部２１から受信した放送信号を、符号化コンテンツパケットや、データパケットなどに分離する。分離部２２は、符号化コンテンツパケットを復号部２３に出力し、データパケットを制御部２５に出力する。復号部２３は、分離部２２から受信した符号化コンテンツパケットに設定されている符号化されたコンテンツデータを復号する。出力部２４は、ディスプレイやスピーカである。出力部２４は、復号部２３が復号したコンテンツデータの映像や音声を出力する。制御部２５は、データパケットを解析し、イベントメッセージから関連ＣＭ特定情報を取得する。制御部２５は、関連ＣＭ特定情報により特定される関連ＣＭの出力をユーザ端末５に指示する。第一通信部２６は、通信ネットワーク９を介して配信装置６とデータを送受信する。第二通信部２７は、ユーザ端末５とデータを送受信する。
【００１５】
図４は、ユーザ端末５の内部構成を示すブロック図であり、本実施形態と関係する機能ブロックのみを抽出して示してある。ユーザ端末５は、例えば、スマートフォンやタブレット端末であるが、他のコンピュータ端末であってもよい。ユーザ端末５は、第一通信部５１と、制御部５２と、第二通信部５３と、復号部５４と、出力部５５と、入力部５６と、記憶部５７とを備えて構成される。
【００１６】
第一通信部５１は、受信装置２とデータを送受信する。制御部５２は、受信装置２から出力を指示された関連ＣＭのコンテンツデータを配信装置６から取得する。第二通信部５３は、通信ネットワーク９を介して配信装置６とデータを送受信する。復号部５４は、コンテンツデータを復号する。出力部５５は、ディスプレイやスピーカである。出力部５５は、関連ＣＭのコンテンツデータの映像や音声を出力する。入力部５６は、ユーザが情報を入力するため入力装置である。例えば、ユーザ端末５のディスプレイがタッチパネルの場合、入力部５６は、タッチパネルに配されているタッチセンサである。記憶部５７は、関連ＣＭの取得先の情報を記憶する。
【００１７】
次に、関連ＣＭ特定情報が放送ＣＭのＣＭコードである場合を例にして、放送システムの動作について説明する。
放送装置１のマスタースイッチャー１３は、現在の時刻に対応した放送コンテンツの情報を電子番組表から取得する。マスタースイッチャー１３は、取得した放送コンテンツの情報に対応した放送ＣＭの素材をＣＭバンク１１から読み出し、設定部１４及び符号化部１５に出力する。設定部１４は、放送ＣＭの素材に含まれる情報に基づいてデータパケットを生成する。このとき、設定部１４は、関連ＣＭがある放送ＣＭの場合、関連ＣＭ特定情報と出力種別をイベントメッセージに設定したデータパケットを生成する。ここでは、関連ＣＭ特定情報は、放送ＣＭのＣＭコードである。出力種別は、関連ＣＭの出力が強制出力であるか否かを示す。また、符号化部１５は、マスタースイッチャー１３から出力された放送ＣＭの素材をＭＰＥＧ２により符号化し、符号化されたコンテンツデータを生成する。符号化部１５は、符号化された放送ＣＭのコンテンツデータを設定した符号化コンテンツパケットを生成し、多重化部１６に出力する。符号化コンテンツパケットには、符号化された映像データが設定されたパケットや、符号化された音声データが設定されたパケットがある。多重化部１６は、設定部１４から出力されたデータパケットと、符号化部１５から出力された符号化コンテンツパケットを多重化したＭＰＥＧ２−ＴＳを生成する。多重化部１６は、生成したＭＰＥＧ２−ＴＳを設定したデジタル放送の放送信号を出力する。
【００１８】
図５は、受信装置２の動作を示す処理フローである。
受信装置２の放送受信部２１は、放送装置１から放送信号を受信し、分離部２２に出力する（ステップＳ１０５）。分離部２２は、放送信号を分離すると、データパケットを制御部２５に出力し、符号化コンテンツパケットを復号部２３に出力する（ステップＳ１１０）。復号部２３は、符号化コンテンツパケットに設定されている符号化された放送ＣＭのコンテンツデータを復号する（ステップＳ１１５）。出力部２４は、放送ＣＭのコンテンツデータの映像や音声を出力する（ステップＳ１２０）。
【００１９】
一方、制御部２５は、予めユーザにより関連ＣＭの出力が許可されているか否かを判断する（ステップＳ１２５）。制御部２５は、関連ＣＭの出力が許可されていると判断した場合（ステップＳ１２５：ＹＥＳ）、データパケットのイベントメッセージに関連ＣＭ特定情報が設定されているか否かを判断する（ステップＳ１３０）。
【００２０】
制御部２５は、イベントメッセージに関連ＣＭ特定情報が設定されていると判断した場合（ステップＳ１３０：ＹＥＳ）、イベントメッセージに設定されている関連ＣＭ特定情報が示すＣＭコードを、第一通信部２６を介して配信装置６に送信する。配信装置６は、受信したＣＭコードに対応して予め記憶していた関連ＣＭのＵＲＬ（Universal Resource Locator）を受信装置２に返送する。受信装置２の第一通信部２６は、配信装置６から受信したＵＲＬを制御部２５に出力する（ステップＳ１３５）。制御部２５は、受信した関連ＣＭのＵＲＬと、イベントメッセージに設定されている出力種別を設定した関連ＣＭ出力指示を、第二通信部２７を介してユーザ端末５に出力する（ステップＳ１４０）。出力種別を設定することによって、受信装置２は、ユーザの指示がなくとも関連ＣＭのコンテンツデータを取得して出力するように、あるいは、ユーザの指示が入力された場合に関連ＣＭのコンテンツデータを取得して出力するように指示することができる。
【００２１】
なお、制御部２５は、関連ＣＭの出力が許可されていないと判断した場合（ステップＳ１２５：ＮＯ）、あるいは、イベントメッセージに関連ＣＭ特定情報が設定されていないと判断した場合（ステップＳ１３０：ＮＯ）、処理を終了する。
【００２２】
図６は、ユーザ端末５の動作を示す処理フローである。
ユーザ端末５の第一通信部５１は、受信装置２から受信した関連ＣＭ出力指示を制御部５２へ出力する（ステップＳ２０５）。制御部５２は、関連ＣＭ出力指示から関連ＣＭのＵＲＬと出力種別を取得する。制御部５２は、出力種別が強制出力を示していると判断した場合（ステップＳ２１０：ＹＥＳ）、第二通信部５３に指示し、関連ＣＭのＵＲＬを接続先として配信装置６にアクセスする（ステップＳ２１５）。配信装置６は、アクセスに用いられたＵＲＬにより特定される関連ＣＭのコンテンツデータをユーザ端末５に配信する。配信装置６は、関連ＣＭのコンテンツデータをユーザ端末５にストリーミング配信してもよく、ユーザ端末５にダウンロードしてもよい。ユーザ端末５の制御部５２は、第二通信部５３が受信した関連ＣＭのコンテンツデータを復号部５４に出力する。復号部５４は、関連ＣＭのコンテンツデータを復号する。出力部５５は、復号部５４により復号された関連ＣＭのコンテンツデータの映像や音声を出力する（ステップＳ２２０）。
【００２３】
一方、ユーザ端末５の制御部５２は、出力種別が強制出力ではないと判断した場合（ステップＳ２１０：ＮＯ）、ＵＲＬを記憶部５７に書き込む（ステップＳ２２５）。ユーザが、入力部５６により、視聴する関連ＣＭのＵＲＬを選択すると（ステップＳ２３０）、ユーザ端末５は、ステップＳ２１５以降の処理を行う。すなわち、ユーザ端末５は、関連ＣＭのＵＲＬにより配信装置６にアクセスし、配信装置６から配信された関連ＣＭのコンテンツデータの映像や音声を出力する。
【００２４】
なお、配信装置６は、関連ＣＭのコンテンツデータをユーザ端末５にストリーミング配信した後、応募画面データをユーザ端末５に配信してもよい。応募画面データは、プレゼントや抽選などの特典への応募に必要な応募情報を入力するためフィールドやボタンを含んだ画面のデータである。ユーザ端末５の制御部５２は、受信した応募画面データを出力部５５に表示させる。ユーザは、入力部５６により応募画面データのフィールドやボタンにより応募情報を入力した後、送信指示を入力する。制御部５２は、入力された応募情報を配信装置６へ送信する。広告主は、配信装置６が受信した応募情報に基づいてユーザに特典を提供する。また、配信装置６は、配信した関連ＣＭや受信した応募情報に基づいて、時間帯別の視聴ユーザ数を集計する。また、応募情報にユーザの属性を含めることにより、配信装置６は、視聴ユーザの属性や、属性別の時間帯別の視聴ユーザ数を集計することができる。この集計結果は、時間帯別のＣＭの料金を決定したり、ＣＭのターゲットとなるユーザの属性に応じた効果的な放送時間帯の判断に利用したりすることができる。
【００２５】
また、配信装置６は、ＣＭコードに対応して通知するＵＲＬを時間帯、曜日、日付によって変えてもよい。あるいは、配信装置６は、ＵＲＬに対応した関連ＣＭのコンテンツデータを、時間帯、曜日、日付によって変更してもよい。これにより、ユーザが関連ＣＭを視聴する時間帯や曜日、季節などによって、宣伝効果の高い関連ＣＭを提供することができる。例えば、強制出力ではない場合、ユーザは、放送ＣＭが放送された後、自分の都合のよい時間に関連ＣＭを視聴することができる。そのため、ユーザは、朝放送された放送ＣＭの関連ＣＭを昼や夜に、あるいは、後日視聴することもある。このような場合、同じ放送ＣＭの複数の関連ＣＭの中から、視聴の時間帯や曜日に応じた効果的な関連ＣＭをユーザに提示することができる。
【００２６】
なお、関連ＣＭ特定情報に関連ＣＭのＵＲＬを用いる場合、ユーザ端末５の制御部２５は、上記の図５のステップＳ１３５の処理を行わない。
【００２７】
また、受信装置２は、ＣＭコードに対応した関連ＣＭのＵＲＬを記述した対応データを予め配信装置６から取得し、記憶しておいてもよい。受信装置２の制御部２５は、記憶していた対応データからＣＭコードに対応したＵＲＬを読み出す。
【００２８】
また、上記においては、受信装置２の制御部２５は、関連ＣＭ出力指示に関連ＣＭのＵＲＬを設定してユーザ端末５に出力しているが、関連ＣＭ出力指示にＣＭコードを設定してもよい。この場合、ユーザ端末５の制御部２５は、上記の図５のステップＳ１３５の処理を行わない。そして、ユーザ端末５の制御部５２は、図５のステップＳ２１５の処理の前に、関連ＣＭ出力指示に設定されているＣＭコードを、第一通信部２６を介して配信装置６に送信する。配信装置６は、受信したＣＭコードに対応して予め記憶していた関連ＣＭのＵＲＬを受信装置２に返送する。ユーザ端末５の制御部５２は、受信したＵＲＬを用いて、図５のステップＳ２１５以降の処理を行う。
【００２９】
なお、強制出力か否かが予め決められている場合、放送装置１は、出力方法をイベントメッセージに設定しなくてもよい。
【００３０】
上記実施形態によれば、放送されるＣＭに関連したＣＭを、受信装置における放送番組や他のＣＭの出力に影響を与えることなく、視聴者に提示することができる。また、放送されるＣＭよりも長いＣＭをユーザに提示することもできる。そして、放送信号に強制出力を設定したＣＭについては、放送ＣＭと同時に関連ＣＭをユーザに提示することができる。また、強制出力ではない場合、ユーザの都合の良い時間に関連ＣＭを提示することができる。
【００３１】
（第２の実施形態）
第１の実施形態では、関連ＣＭをユーザ端末５が取得していた。本実施形態では、受信装置が関連ＣＭを取得する。以下では、第１の実施形態との差分を中心に説明する。
【００３２】
図７は、本実施形態の放送システムを示す構成図である。同図において、図１に示す第１の実施形態による放送システムと同一の部分には同一の符号を付し、その説明を省略する。本実施形態の放送システムは、第１の実施形態の放送システムの受信装置２に代えて、図８に示す受信装置３を備える。
【００３３】
図８は、受信装置３の内部構成を示すブロック図であり、本実施形態と関係する機能ブロックのみを抽出して示してある。同図において、図３に示す第１の実施形態による受信装置２と同一の部分には同一の符号を付し、その説明を省略する。受信装置３は、放送受信部２１と、分離部２２と、復号部２３と、出力部２４と、制御部３１と、記憶部３２と、第一通信部２６と、第二通信部２７とを備えて構成される。制御部３１は、データパケットを解析し、イベントメッセージから関連ＣＭ特定情報を取得する。制御部３１は、関連ＣＭ特定情報により特定される関連ＣＭを配信装置６から取得し、ユーザ端末５に出力する。記憶部３２は、関連ＣＭのＵＲＬを記憶する。
【００３４】
次に、放送システムの動作について説明する。
図９は、受信装置３の動作を示す処理フローである。
放送装置１は、第１の実施形態と同様に放送信号を出力する。受信装置３が放送信号を受信してから、関連ＣＭのＵＲＬを取得するまでのステップＳ１０５からステップＳ１３５までの処理は、図５に示す第１の実施形態の動作と同様である。すなわち、分離部２２は、放送受信部２１が受信した放送信号を分離すると、データパケットを制御部３１に出力し、符号化コンテンツパケットを復号部２３に出力する。復号部２３は、符号化コンテンツパケットに設定されている符号化された放送ＣＭのコンテンツデータを復号する。出力部２４は、放送ＣＭのコンテンツデータを出力する。制御部３１は、関連ＣＭの出力が許可されており、かつ、イベントメッセージに放送ＣＭのＣＭコードが設定されていると判断した場合、第一通信部２６を介してＣＭコードを配信装置６に送信する。第一通信部２６は、配信装置６からＣＭコードに対応したＵＲＬを制御部３１に出力する。
【００３５】
制御部３１は、イベントメッセージに設定されている出力種別が強制出力を示していると判断した場合（ステップＳ３０５：ＹＥＳ）、第二通信部２７に指示し、関連ＣＭのＵＲＬを接続先として配信装置６にアクセスする（ステップＳ３１０）。配信装置６は、アクセスに用いられたＵＲＬにより特定される関連ＣＭのコンテンツデータを受信装置３に配信する。受信装置３の第二通信部２７は、受信した関連ＣＭのコンテンツデータを制御部３１に出力する。制御部３１は、関連ＣＭのコンテンツデータを第二通信部２７からユーザ端末５に出力する（ステップＳ３１５）。ユーザ端末５の制御部５２は、第一通信部５１により受信した関連ＣＭのコンテンツデータを復号部５４に出力する。復号部５４は、関連ＣＭのコンテンツデータを復号する。出力部５５は、復号部５４により復号された関連ＣＭのコンテンツデータの映像や音声を出力する。
【００３６】
制御部３１は、イベントメッセージに設定されている出力種別が強制出力を示していないと判断した場合（ステップＳ３０５：ＮＯ）、配信装置６から受信したＵＲＬを記憶部３２に書き込む（ステップＳ３２０）。制御部３１は、関連ＣＭがある旨の通知をユーザ端末５に送信する（ステップＳ３２５）。ユーザ端末５の制御部５２は、関連ＣＭがある旨を出力部５５に表示する。ユーザが、関連ＣＭの視聴を入力部５６により入力すると、制御部５２は、関連ＣＭの要求を受信装置３に送信する。受信装置３の制御部３１がＣＭの要求を受信すると（ステップＳ３３０）、受信装置３は、記憶部３２から関連ＣＭのＵＲＬを読み出し、ステップＳ３１０及びステップＳ３１５の処理を実行する。すなわち、受信装置３は、関連ＣＭのＵＲＬを接続先として配信装置６にアクセスし、ＵＲＬにより特定される関連ＣＭのコンテンツデータを受信する。受信装置３は、受信した関連ＣＭのコンテンツデータをユーザ端末５に出力する。ユーザ端末５の制御部５２は、受信装置３から受信した関連ＣＭのコンテンツデータを復号部５４に出力する。復号部５４は、関連ＣＭのコンテンツデータを復号し、出力部５５は、復号部５４により復号された関連ＣＭのコンテンツデータの映像や音声を出力する。
【００３７】
上記実施形態によれば、第１の実施形態と同様の効果がある。さらには、通信ネットワークと接続していないユーザ端末にも、放送されるＣＭに関連したＣＭを提示することができる。
【００３８】
（第３の実施形態）
第１の実施形態及び第２の実施形態では、ユーザ端末が関連ＣＭを出力していた。本実施形態では、受信装置が関連ＣＭを出力する。以下では、第１の実施形態との差分を中心に説明する。
【００３９】
図１０は、実施形態の放送システムを示す構成図である。同図において、図１に示す第１の実施形態による放送システムと同一の部分には同一の符号を付し、その説明を省略する。本実施形態の放送システムは、放送装置１と、受信装置４と、配信装置６とを備えて構成される。受信装置４と配信装置６は、通信ネットワーク９を介して接続される。
【００４０】
図１１は、受信装置４の内部構成を示すブロック図であり、本実施形態と関係する機能ブロックのみを抽出して示してある。同図において、図３に示す第１の実施形態による受信装置２と同一の部分には同一の符号を付し、その説明を省略する。受信装置４は、放送受信部２１と、分離部２２と、復号部２３と、出力部２４と、制御部４１と、第一通信部２６と、通信コンテンツ復号部４２と、出力制御部４３とを備えて構成される。制御部４１は、データパケットを解析し、イベントメッセージから関連ＣＭ特定情報を取得する。制御部４１は、関連ＣＭ特定情報により特定される関連ＣＭのコンテンツデータを配信装置６から取得する。通信コンテンツ復号部４２は、通信により取得した関連ＣＭのコンテンツデータを復号する。出力制御部４３は、放送信号から取得した番組や広告のコンテンツデータの映像と、通信により取得した関連ＣＭのコンテンツデータの映像とを並べて出力部２４に表示させる。
【００４１】
次に、放送システムの動作について説明する。
図１２は、受信装置４の動作を示す処理フローである。
放送装置１は、第１の実施形態と同様に放送信号を出力する。ただし、受信装置４において関連ＣＭを強制出力するものとし、放送装置１は、イベントメッセージに出力種別を設定しない。受信装置４が放送信号を受信してから、関連ＣＭのＵＲＬを取得するまでのステップＳ１０５からステップＳ１３５までの処理は、図５に示す第１の実施形態の動作と同様である。すなわち、分離部２２は、放送受信部２１が受信した放送信号を分離すると、データパケットを制御部４１に出力し、符号化コンテンツパケットを復号部２３に出力する。復号部２３は、符号化コンテンツパケットに設定されている符号化された放送ＣＭのコンテンツデータを復号する。出力部２４は、放送ＣＭのコンテンツデータを出力する。制御部４１は、関連ＣＭの出力が許可されており、かつ、イベントメッセージに放送ＣＭのＣＭコードが設定されていると判断した場合、第一通信部２６を介してＣＭコードを配信装置６に送信する。第一通信部２６は、配信装置６からＣＭコードに対応したＵＲＬを制御部４１に出力する。
【００４２】
制御部４１は、第一通信部２６に指示し、関連ＣＭのＵＲＬを接続先として配信装置６にアクセスする（ステップＳ４０５）。配信装置６は、アクセスに用いられたＵＲＬにより特定される関連ＣＭのコンテンツデータを受信装置４に配信する。受信装置４の第一通信部２６は、受信した関連ＣＭのコンテンツデータを制御部４１に出力する。制御部４１は、関連ＣＭのコンテンツデータを通信コンテンツ復号部４２に出力する。さらに、制御部４１は、出力制御部４３に放送のコンテンツデータと通信で受信したコンテンツデータとを同時に出力するよう指示する。通信コンテンツ復号部４２は、関連ＣＭのコンテンツデータを復号する。出力制御部４３は、復号部２３が復号した放送のコンテンツデータの映像と、通信コンテンツ復号部４２が復号した関連ＣＭのコンテンツデータの映像とを並べて出力部２４に表示させる。また、出力制御部４３は、復号部２３が復号した放送のコンテンツデータの音声を出力する（ステップＳ４１０）。
【００４３】
なお、出力制御部４３は、放送のコンテンツデータの音声と関連ＣＭのコンテンツデータの音声とを同時に出力してもよい。また、出力制御部４３は、リモートコントローラなどを用いたユーザ操作によって、出力する音声を関連ＣＭのコンテンツデータの音声としてもよい。また、出力制御部４３は、放送のコンテンツデータの映像に、通信コンテンツ復号部４２が復号した関連ＣＭのコンテンツデータの映像を重ねて表示させるようにしてもよい。
【００４４】
なお、関連ＣＭを強制出力させない場合、受信装置４の制御部４１は、配信装置６から受信したＵＲＬを記憶しておく。受信装置４がリモートコントローラなどによって関連ＣＭの視聴を指示するユーザ操作を受けた場合、制御部４１は、記憶していた関連ＣＭのＵＲＬを用いて、ステップＳ４０５以降の処理を行う。
【００４５】
本実施形態によれば、ユーザは、放送の画面を見ながら、放送される広告に関連する広告を視聴することができる。
【００４６】
以上説明した少なくともひとつの実施形態によれば、受信装置が制御部を持つことにより、放送されたＣＭに関連したＣＭを通信で取得し、視聴者に提示することができる。
【００４７】
上述した実施形態における放送装置１、受信装置２、受信装置３、受信装置４、ユーザ端末５、及び配信装置６の機能をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００４８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４９】
１…放送装置、２…受信装置、３…受信装置、４…受信装置、５…ユーザ端末、６…配信装置、９…通信ネットワーク、１１…ＣＭバンク、１２…番組バンク、１３…マスタースイッチャー、１４…設定部、１５…符号化部、１６…多重化部、２１…放送受信部、２２…分離部、２３…復号部、２４…出力部、２５…制御部、２６…第一通信部、２７…第二通信部、３１…制御部、３２…記憶部、４１…制御部、４２…通信コンテンツ復号部、４３…出力制御部、５１…第一通信部、５２…制御部、５３…第二通信部、５４…復号部、５５…出力部、５６…入力部、５７…記憶部
【図１】
2016058961.tif 000003
【図２】
2016058961.tif 000004
【図３】
2016058961.tif 000005
【図４】
2016058961.tif 000006
【図５】
2016058961.tif 000007
【図６】
2016058961.tif 000008
【図７】
2016058961.tif 000009
【図８】
2016058961.tif 000010
【図９】
2016058961.tif 000011
【図１０】
2016058961.tif 000012
【図１１】
2016058961.tif 000013
【図１２】
2016058961.tif 000014